(57)【特許請求の範囲】
【請求項１】
上下に屈曲したラック体の開口上部を施蓋する屋根形カバーにおいて、連続する一対の屋根形カバー体の相対向する端部を夫々平面略山形状に切り欠いて一対の連結端部を形成し、該連結端部に夫々装着され、各屋根形カバー体の頂部から屋根形カバー体の左右側板に至る平面略三角形状を成した閉塞片と、該閉塞片を屋根形カバー体に連結する接続片と、からなる固定金具を一対設け、該固定金具の閉塞片相互を蝶番又はヒンジで上下揺動自在に連結したことを特徴とする上下ベンド自在屋根形カバー。
【請求項２】
前記固定金具は、前記屋根形カバー体の下面に接合する接続片と、前記屋根形カバー体の前記連結端部の頂部から連結端部を塞ぐ略三角形状を成した閉塞片とからなり、前記蝶番を該閉塞片に連結した請求項１記載の上下ベンド自在屋根形カバー。
【請求項３】
前記蝶番は、前記固定金具の閉塞片と略同じ長さに形成された請求項１又は２記載の上下ベンド自在屋根形カバー。
【請求項４】
上下に屈曲したラック体の開口上部を施蓋する屋根形カバーにおいて、連続する一対の屋根形カバー体の相対向する開放端部をそれぞれ平らに形成して閉塞部材を設け、各閉塞部材の相対向する端部相互を蝶番又はヒンジからなる連結部材で上下揺動自在に連結したことを特徴とする上下ベンド自在屋根形カバー。
【請求項５】
前記閉塞部材は前記屋根形カバー体１の端部を平らにして形成され、屋根形カバー体と閉塞部材とを一体に形成した請求項４記載の上下ベンド自在屋根形カバー。
【請求項６】
前記連結部材は、閉塞部材の端部に設けたヒンジである請求項４記載の上下ベンド自在屋根形カバー。
【発明の詳細な説明】
【０００１】
【発明の属する技術分野】
本発明は、ケーブルラックや冷媒管ラック等のラックの開口部を施蓋する断面山形状を成した長さ調整用ラックカバーに係り、上下の角度を調整自在にすることができる上下ベンド自在屋根形カバーに関する。
【０００２】
【従来の技術】
従来、屋外等にケーブルラックや冷媒管ラック等を施工した際に、このラックの開口部にラックカバーを装着する場合がある。このラックカバーには、上面が平らな、所謂、平形カバーと、上面中央が上方に突出した、所謂、屋根形カバーとが使用されている。
【０００３】
平形カバーは、カバーの中央部分が撓みやすく、雨水がたまりやすいので、主に室内で使用されている。一方、屋根形カバーは、雨水を排除する形状を成しているので屋外で使用されることが多い。
【０００４】
これらのラックを施工する際に、現場の高低差に合わせてラックを上下に屈曲した状態で施行する場合がある。平形カバーの場合、カバーの屈曲部分を付き合わせながら、上下角度の調整を行っている。ところが、屋根形カバーの場合、カバーが屋根状に屈曲されているので、上下に角度をつけて連結すると、この付き合わせ部分に大きな隙間が生じることになる。そのため、屋根形カバーに上下角度をつける場合は、平形カバーのように付き合わせる施工は行われず、屋根形カバーの側面を切断して上下角度の調整を行い、この状態でカバー側面の隙間を塞ぐといった施工方法が採られていた。また、上下の調整角度が一定の角度の場合（15°，30°，45°，60°）、予めこれらの角度に形成された屋根形カバーとラックを使用している。
【０００５】
【発明が解決しようとする課題】
予め一定の角度に屈曲された屋根形カバーを使用する場合は、比較的容易に施工できるが、調整角度がこのような一定の角度から外れる場合は、まず、ラックの屈曲角度を計測し、この角度に合わせて前述のように屋根形カバーを製作した特注品を使用する必要がある。したがって、一定角度以外の角度に屈曲されたラックを屋根形カバーで施蓋する場合は、極めて多くの手間と時間のかかる作業になっていた。
【０００６】
また、特注品によって角度調整した屋根形カバーを使用する場合でも、現場の状況や何らかの事情によって調整角度が異なることもあり得る。この場合、特注品の屋根形カバーを使用できなくなる不都合もあった。
【０００７】
そこで本発明は上述の課題を解消すべく創出されたもので、屋根形カバー特有の隙間を生じることなく、屋根形カバーの角度調整を自在にすることができる上下ベンド自在屋根形カバーの提供を目的とするものである。
【０００８】
【課題を解決するための手段】
上述の目的を達成すべく本発明の第１の手段は、上下に屈曲したラック体Ｐの開口上部を施蓋する屋根形カバーにおいて、連続する一対の屋根形カバー体１の相対向する端部を夫々平面略山形状に切り欠いて一対の連結端部１Ａを形成し、該連結端部１Ａに夫々装着され、各屋根形カバー体１の頂部１Ｂから屋根形カバー体１の左右側板１Ｃに至る平面略三角形状を成した閉塞片２Ｂと、該閉塞片２Ｂを屋根形カバー体１に連結する接続片２Ａと、からなる固定金具２を一対設け、該固定金具２の閉塞片２Ｂ相互を蝶番３又はヒンジ４で上下揺動自在に連結したことにある。
【０００９】
第２の手段における固定金具２は、前記屋根形カバー体１の下面に接合する接続片２Ａと、前記屋根形カバー体１の前記連結端部１Ａの頂部１Ｂから連結端部１Ａを塞ぐ略三角形状を成した閉塞片２Ｂとからなり、前記蝶番３を該閉塞片２Ｂに連結したものである。
【００１０】
第３の手段は、蝶番３を、前記固定金具２の閉塞片２Ｂと略同じ長さに形成したことにある。
【００１１】
第４の手段は、上下に屈曲したラック体Ｐの開口上部を施蓋する屋根形カバーにおいて、連続する一対の屋根形カバー体１の相対向する開放端部をそれぞれ平らに形成して閉塞部材を設け、各閉塞部材の相対向する端部相互を蝶番３又はヒンジ４からなる連結部材で上下揺動自在に連結している。
【００１２】
第５の手段における閉塞部材１Ｄは前記屋根形カバー体１の端部を平らにして形成され、屋根形カバー体１と閉塞部材１Ｄとを一体に形成したものである。
【００１３】
第６の手段は、連結部材を閉塞部材の端部に設けたヒンジ４で形成したことを課題解消のための手段とする。
【００１４】
【発明の実施の形態】
以下、図面を参照して、本発明の実施の形態を詳細に説明する。
【００１５】
本発明屋根形カバーは、上下に屈曲したラック体Ｐの開口上部を、ラック体Ｐの屈曲角度に沿って施蓋するものである（図６参照）。
【００１６】
図１乃至図６に示す実施例の基本構成は、一対の屋根形カバー体１、一対の固定金具２、１本の蝶番３又はヒンジ４にて構成する（図１参照）。
【００１７】
屋根形カバー体１は、所謂屋根形カバーと称される断面略山形状を成すカバーで、後述する屈曲部分を介して一対の屋根形カバー体１が連続する。この屋根形カバー体１の端部相互を夫々平面略山形状に切り欠いて連結端部１Ａを形成する（図２参照）。連結端部１Ａは、屋根形カバー体１の頂部１Ｂを深く切り欠くことで、平面略く字形状に形成している。
【００１８】
固定金具２は、各連結端部１Ａに夫々装着され、屋根形カバー体１の頂部１Ｂから連結端部１Ａに沿って開放端部を塞ぐように形成する。図示の固定金具２は、接続片２Ａと閉塞片２Ｂとで形成している（図３参照）。
【００１９】
接続片２Ａは、屋根形カバー体１の下面に接合して連結する部分で、図示ではビスＱによる連結手段を例示しているが、他の連結手段でもよい。
【００２０】
閉塞片２Ｂは、連結端部１Ａの頂部１Ｂから屋根形カバー体１の左右側板１Ｃに至る平面略三角形状を成している。この閉塞片２Ｂは、屋根形カバー体１の連結端部１Ａと、左右の側板１Ｃとを水平に結んだ可能線とで成す三角形状の開放端部を閉塞する部材であり、該閉塞片２Ｂに蝶番３を連結する（図５参照）。
【００２１】
蝶番３は、本発明の屈曲部分になる部材で、固定金具２相互を揺動自在に連結する。蝶番３は、固定金具２の閉塞片２Ｂと略同じ長さに形成することで、蝶番３と閉塞片２Ｂとの連結部分に隙間を生じさせないようにしている（図３参照）。また、この蝶番３を閉塞片２Ｂに重ねて接続することから、蝶番３の接続片３Ａも閉塞片２Ｂと同様に略三角形状に形成する。これら固定金具２と蝶番３との連結手段にビスＱを使用している（図４参照）。
【００２２】
図７乃至図１２は、本発明の他の実施例を示している。これらの実施例は、いずれも屋根形カバー体１の対向する開放端部を夫々閉塞する閉塞部材と、該閉塞部材の端部相互を上下揺動自在に連結する連結部材とを設けている。
【００２３】
図７及び図８に示す実施例は、屋根形カバー体１の端部を平坦に形成して、屋根形カバー体１の端部から延長されて屋根形カバー体と一体に形成した閉塞部材１Ｄを設けている。そして、この平坦な閉塞部材１Ｄの上面（あるいは下面）に蝶番３を設けたものである（図８参照）。
【００２４】
図９及び図１２に示す実施例は、蝶番３の代わりにヒンジ４を使用した実施例を示している。すなわち、図９、図１０に示す屋根形カバー体１は、固定金具２の接続端部にヒンジ４を設けている。
【００２５】
一方、図１１、図１２に示す実施例では、屋根形カバー体１の端部を平坦に形成し、該屋根形カバー体１から一体に延長形成した閉塞部材１Ｄを設けている（図１２参照）。そして、この平坦な閉塞部材１Ｄの端部にヒンジ４を設けている。
【００２６】
【発明の効果】
本発明は、上述の如く構成したことにより、当初の目的を達成する。
【００２７】
すなわち、連続する一対の屋根形カバー体１の相対向する夫々の端部を平面略山形状に切り欠いて一対の連結端部１Ａを形成し、該連結端部１Ａに夫々装着され、各屋根形カバー体１の頂部１Ｂから各連結端部１Ａを塞ぐ略三角形状を成した固定金具２を一対設け、該固定金具２相互を蝶番又はヒンジで上下揺動自在に設けたことにより、屋根形カバー特有の隙間を生じることなく、屋根形カバーの角度調整を自在にすることが可能になった。
【００２８】
また、固定金具２は、屋根形カバー体１の下面に接合する接続片２Ａと、屋根形カバー体１の前記連結端部１Ａの頂部１Ｂから屋根形カバー体１の左右側板１Ｃに至る平面略三角形状を成した閉塞片２Ｂとからなり、前記蝶番３を該閉塞片２Ｂに連結した
【００２９】
しかも、蝶番３は、前記固定金具２の閉塞片２Ｂと略同じ長さに形成されているので、この蝶番３の接続部分に隙間が発生する虞もない。
【００３０】
また、上下に屈曲したラック体Ｐの開口上部を施蓋する屋根形カバーにおいて、連続する一対の屋根形カバー体１の相対向する平面略く字状の端部を夫々平面略三角形状の閉塞部材で閉塞し、各閉塞部材の端部相互を連結部材で上下揺動自在に連結したことにより、屋根形カバー特有の隙間を生じることなく、屋根形カバーの角度調整を自在にすることができる。
【００３１】
更に、屋根形カバー体１の端部から延長されて屋根形カバー体と一体に形成した閉塞部材１Ｄにより、屋根形カバー体１の開口端部を確実に閉塞することができる。
【００３２】
そして、連結部材を閉塞部材の端部に設けたヒンジで形成することにより、構成部材を少なくすることが可能になった。
【００３３】
このように本発明によると、屋根形カバー特有の隙間を生じることなく、屋根形カバーの角度調整を自在にすることが可能になるなどといった有益な種々の効果を奏するものである。
【図面の簡単な説明】
【図１】  本発明の一実施例を示す分解斜視図。
【図２】  本発明の一実施例を示す平面図。
【図３】  本発明の一実施例を示す底面図。
【図４】  本発明の一実施例を示す側面図。
【図５】  図３に示す矢視Ａ−Ａ線端面図。
【図６】  本発明の使用状態を示す正面図。
【図７】  本発明の他の実施例を示す斜視図。
【図８】  図７に示す他の実施例の正面図。
【図９】  本発明の他の実施例を示す斜視図。
【図１０】  図９に示す他の実施例の正面図。
【図１１】  本発明の他の実施例を示す斜視図。
【図１２】  図１１に示す他の実施例の正面図。
【符号の説明】
Ｐ  ラック体
Ｑ  ビス
１  屋根形カバー体    １Ａ  連結端部
１Ｂ  頂部
１Ｃ  側板
１Ｄ  閉塞部材
２  固定金具          ２Ａ  接続片
２Ｂ  閉塞片
３  蝶番              ３Ａ  接続片
４  ヒンジ
【図１】
0003665991.tif 000002
【図２】
0003665991.tif 000003
【図３】
0003665991.tif 000004
【図４】
0003665991.tif 000005
【図５】
0003665991.tif 000006
【図６】
0003665991.tif 000007
【図７】
0003665991.tif 000008
【図８】
0003665991.tif 000009
【図９】
0003665991.tif 000010
【図１０】
0003665991.tif 000011
【図１１】
0003665991.tif 000012
【図１２】
0003665991.tif 000013